(57)【要約】      （修正有）【課題】筋肉痛や、捻挫、筋違い、関節炎等々に伴う痛みを和らげるために鎮痛治療処置剤を人体の皮膚患部に適用するための自己接着型の鎮痛用超微細布粘着シートの提供。【解決手段】ヒドロニットの不織布製で弾性があり通気性のよい基礎層２１と、中に治療処置剤２２１を含ませたヒドロゲルを該基礎層の片面側に吹き付けて０.０２〜０.２mmの厚さに形成した薄塗装膜２２と、該薄塗装層に貼り付けられた着脱可能な剥離紙２３と、から構成された自己接着型の鎮痛用超微細布粘着シート２０であり、前記治療処置剤に、ナノ・トレースエレメント（ 超微量元素）、超疎水性材料、有機トレースエレメント等を混合させ、鎮痛治療のために超微細布粘着シートを患部に貼ったとき、長時間にわたって効果的に痛みを和らげ、自然な治療ができる構成とした。【選択図】図３
0003111900.tif 000002
【実用新案登録請求の範囲】
【請求項１】
弾性を有し通気性のあるヒドロニット不織布製である基礎層と、薄塗装膜と、剥離紙とから成る自己接着型の鎮痛用超微細布粘着シート構造であって、
前記薄塗装層は、その材料の中に治療処置剤を混入させて、前記基礎層の片側面上に吹き付けて形成し、前記剥離紙が該薄塗装層に着脱可能に貼り付けられており、
前記治療処置剤はナノ・トレースエレメント（nano trace elements: 超微量元素）を混入したヒドロゲルから成り、前記自己接着型の鎮痛用超微細布粘着シートが皮膚の患部に適用されると、該ナノ・トレースエレメントが皮膚と接触して人体が持つ吸収及び共鳴作用などの反応作用が促進され、前記自己接着型の鎮痛用超微細布粘着シートが、浸透する温熱を発生するようになるので、これにより、長時間にわたって効果的に痛みを和らげ取り除くようにしたことを特徴とする鎮痛用超微細布粘着シート。
【請求項２】
前記薄塗装層は、前記基礎層上に霧状に分散されて均一に吹き付けて形成され、粘着シートを患部に適用した場合、前記基礎層がその通気性及び疎水性特性を適切に保持することができるようにしたことを特徴とする請求項１記載の鎮痛用超微細布粘着シート。
【請求項３】
前記薄塗装層に含有された治療処置剤は、ナノ・トレースエレメント（ 超微量元素）、超疎水性材料、有機トレースエレメントから成ることを特徴とする請求項１記載の鎮痛用超微細布粘着シート。
【請求項４】
前記薄塗装層は０.０２〜０.２mmの厚さであることを特徴とする請求項１記載の鎮痛用超微細布粘着シート。
【請求項５】
片面側に吹き付けして薄塗装膜を形成する前に、ナノ・トレースエレメントを含んだ治療処置剤を混入させて形成したヒドロニット不織布製の基礎層と、前記薄塗装層に着脱可能に付着させた剥離紙とから成る自己接着型の鎮痛用超微細布粘着シート構造であって、
前記鎮痛用超微細布粘着シートが患部に適用されると、前記治療処置剤に含まれるナノ・トレースエレメントを介して人体が持つ吸収及び共鳴作用などの反応作用が促進され、前記鎮痛用超微細布粘着シートが、浸透する温熱を発生するようになり、これにより、長時間にわたって効果的に痛みを和らげ取り除くようにしたことを特徴とする鎮痛用超微細布粘着シート。
【請求項６】
前記基礎層の治療処置剤は、ナノ・トレースエレメント（ 超微量元素）、超疎水性材料、有機トレースエレメントから成ることを特徴とする請求項５記載の鎮痛用超微細布粘着シート。
【請求項７】
前記薄塗装層は０.０２〜０.２mmの厚さであることを特徴とする請求項５記載の鎮痛用超微細布粘着シート。
【考案の詳細な説明】
【技術分野】
【０００１】
本考案は、鎮痛効果をもたらすべく鎮痛薬や消炎薬を人体の皮膚に貼り付けるための自己接着型の鎮痛用超微細布粘着シートの構造に関する。
【背景技術】
【０００２】
一般に、市場に出回っている医療用の皮膚貼付用粘着シートは、筋肉痛や、捻挫、筋違い、関節炎等々に伴う痛みを和らげるために患部に適用される。このような貼付用粘着シートには、長時間持続して医療効果を高めるために、種々の医療用治療処置剤、薬草材料などが適用されていて、これを皮膚に貼り付けるのであるが、この粘着シートが、返って患部の皮膚に対しアレルギーや過敏症などを引き起こす要因となりかねない。
貼付用粘着シートは、通常は、通気性のある織物生地で作られていて、治療処置剤を適切に行き渡らせ、患部の皮膚に過剰な刺激を与えないようにする。また、このような通気性のある織物生地製の皮膚貼付用粘着シートは治療処置剤に含まれる水分を外へ排出するので、皮膚に対する湿気の悪影響をも軽減することができる。
【０００３】
図１は、従来の鎮痛薬を塗布した皮膚貼付用粘着シート１０の断面図である。粘着シート１０は、通気性のある基礎層１１と、該基礎層１１の一側に塗布された粘着層１２と、該粘着層１２に着脱可能に取り付けられた透明の剥離紙１３とからなる。
この皮膚貼付用粘着シート１０において、粘着層１２は、接着剤が混合された医療用処置剤で形成されていて、基礎層１１へ直接接着してある。
【０００４】
図２を参照する。この皮膚貼付用粘着シート１０を実際に外用薬として適用するには、まず、剥離紙１３を剥がし、粘着層１２を剥き出しにしてから、皮膚患部に当てて貼り付けるようにする。粘着層に含まれる治療処置剤が皮膚に浸透してゆき、これにより、鎮痛効果が達成されるようになる。
しかしながら、粘着層１２が基礎層１１の全面を完全に塞いだ状態となっているので、このような粘着シート１０を患部に貼った場合、基礎層１１が元来持っている風通しのよい通気性効果というものが適切に達成できないこととなる。その結果、後で貼付用粘着シート１０を剥がしたときに、皮膚がふやけてしまっていたり、アレルギーを起していたり、皮疹が現われたり、といった皮膚のトラブルが生じ勝ちである。
【０００５】
更にまた、粘着層１２は基礎層１１に直接接着することで適用されるが、これが均一に塗布されず表面がでこぼこになっていたりして、治療における医療効果が、一部には強く効き、一部には弱くなるという結果となることもある。
【考案の開示】
【考案が解決しようとする課題】
【０００６】
従って、本考案は、従来技術の欠点を改善して、  ナノ・トレースエレメント（nano trace elements: 超微量元素）、超疎水性材料（nano hydrophobic materials）、有機トレースエレメント（organic trace elements）等を混ぜ込んである治療処置剤のヒドロゲルをその上面にスプレーした基礎層から構成された、自己接着型の鎮痛用皮膚貼付超微細布粘着シート構造を提供することを目的とする。
この自己接着型の布粘着シートは、皮膚の患部に貼り付けたときに、人体が持つ吸収及び共鳴作用などの反応作用を介して、温熱を発生し、長時間にわたり鎮痛効果を持続でき、それにより、自然で効果的な医療処置を達成することができる。
【０００７】
本考案の第２の目的は、自己接着型布粘着シートは、基礎層と剥離紙との間に薄い塗布層が積層されており、該薄い塗布層は、基礎層の片側表面上に治療処置剤を霧状に分布して均一に吹き付けることで形成されるので、布粘着シートを外用薬として適用した場合に、基礎層の通気性特性や疎水性特性が適切に保持されて熱や汗を発散することができるため、これによって、皮膚のふやけとか、アレルギーや、発疹などの皮膚のトラブルを効果的に軽減することができる鎮痛用皮膚貼付超微細布粘着シートを提供するものである。
【０００８】
本考案の第３の目的は、ナノ・トレースエレメント（nano trace elements: 超微量元素）、超疎水性材料（nano hydrophobic materials）、有機トレースエレメント（organic trace elements）等を治療処置剤に含有させたヒドロゲルを基礎層に吹き付けて薄塗装層を構成することで、あるいは、ヒドロニットの不織布（hydro-entangled or hydroknit non-woven fabric）製の基礎層にナノ・トレースエレメント（nano trace elements: 超微量元素）、超疎水性材料（nano hydrophobic materials）、有機トレースエレメント（organic trace elements）等を混ぜて構成することで、製造時間を短縮でき且つ製品材料の節約ができるばかりでなく、上述した従来の布粘着シートにあるような基礎層に塗布された医療用治療剤の不快な臭いがしないようにでき、これにより、本考案の超微細布粘着シートを快適に健康的に適用できると共に、製造工程も快適で健康的にできるようにすることである。
【課題を解決するための手段】
【０００９】
請求項１の発明は、弾性を有し通気性のあるヒドロニット不織布製である基礎層と、薄塗装膜と、剥離紙とから成る自己接着型の鎮痛用超微細布粘着シート構造であって、前記薄塗装層は、その材料の中に治療処置剤を混入させて、前記基礎層の片側面上に吹き付けて形成し、前記剥離紙が該薄塗装層に着脱可能に貼り付けられており、前記治療処置剤はナノ・トレースエレメント（nano trace elements: 超微量元素）を混入したヒドロゲルから成り、前記自己接着型の鎮痛用超微細布粘着シートが皮膚の患部に適用されると、該ナノ・トレースエレメントが皮膚と接触して人体が持つ吸収及び共鳴作用などの反応作用が促進され、前記自己接着型の鎮痛用超微細布粘着シートが、浸透する温熱を発生するようになるので、これにより、長時間にわたって効果的に痛みを和らげ取り除くようにしたことを特徴とする。
請求項２の発明は、請求項１記載の鎮痛用超微細布粘着シートにおいて、前記薄塗装層は、前記基礎層上に霧状に分散されて均一に吹き付けて形成され、粘着シートを患部に適用した場合、前記基礎層がその通気性及び疎水性特性を適切に保持することができるようにしたことを特徴とする。
請求項３の発明は、請求項１記載の鎮痛用超微細布粘着シートにおいて、前記薄塗装層に含有された治療処置剤は、ナノ・トレースエレメント（ 超微量元素）、超疎水性材料、有機トレースエレメントから成ることを特徴とする。
請求項４の発明は、請求項１記載の鎮痛用超微細布粘着シートにおいて、前記薄塗装層は０.０２〜０.２mmの厚さであることを特徴とする。
【００１０】
請求項５の発明は、片面側に吹き付けして薄塗装膜を形成する前に、ナノ・トレースエレメントを含んだ治療処置剤を混入させて形成したヒドロニット不織布製の基礎層と、前記薄塗装層に着脱可能に付着させた剥離紙とから成る自己接着型の鎮痛用超微細布粘着シート構造であって、前記鎮痛用超微細布粘着シートが患部に適用されると、前記治療処置剤に含まれるナノ・トレースエレメントを介して人体が持つ吸収及び共鳴作用などの反応作用が促進され、前記鎮痛用超微細布粘着シートが、浸透する温熱を発生するようになり、これにより、長時間にわたって効果的に痛みを和らげ取り除くようにしたことを特徴とする。
請求項６の発明は、請求項５記載の鎮痛用超微細布粘着シートにおいて、前記基礎層の治療処置剤は、ナノ・トレースエレメント（ 超微量元素）、超疎水性材料、有機トレースエレメントから成ることを特徴とする。
請求項７の発明は、請求項５記載の鎮痛用超微細布粘着シートにおいて、前記薄塗装層は０.０２〜０.２mmの厚さであることを特徴とする。
【考案の効果】
【００１１】
上記の目的を達成するため、本考案の自己接着型の鎮痛用超微細布粘着シートは、ヒドロニット不織布製の弾性のある通気性のよい基礎層と、中に治療剤を含ませて該基礎層の片側面に吹き付けられる薄塗装膜と、該薄塗装層に付けられた着脱可能な剥離紙とから構成し、前記治療剤の中にはナノ・トレースエレメント（超微量元素）、超疎水性材料、有機トレースエレメント等を混合するようにしたので、人体が持つ吸収及び共鳴作用などの反応作用が促進されて、患部に貼り付けた粘着シートが温熱を発生し、長時間にわたり鎮痛効果を持続させることができるようになり、自然で健康的な治療効果をもたらすことができる。
【００１２】
また、ナノ・トレースエレメント（nano trace elements: 超微量元素）、超疎水性材料（nano hydrophobic materials）、有機トレースエレメント（organic trace elements）等が含まれた治療処置剤のヒドロゲルを基礎層表面に均一に吹き付けて薄塗装層とするので、基礎層の通気性特性および疎水性特性が均一に保持され、本考案の自己接着型の鎮痛用超微細布粘着シートを痛みのある患部に貼り付けると、長時間にわたり鎮痛効果が持続され、一層効果的に自然な治療が達成されるようになる。
【考案を実施するための最良の形態】
【００１３】
以下、添付図面を参照して本考案の好適な実施の形態を詳細に説明する。図３は本考案の第１実施例を示す分解斜視図、図４は本考案の図３の断面図、図５は本考案の第１実施例の使用状態を示す概略図、図６は本考案の第２実施例の断面図である。
【実施例１】
【００１４】
図２および図３から分かるように、本考案の超微細布粘着シート２０は、ヒドロニットの不織布製で弾性があり通気性のよい基礎層２１と、中に治療剤を含ませて該基礎層２１の片面側に吹き付けられた薄塗装膜２２と、該薄塗装層２２に貼り付けられた着脱可能な剥離紙２３と、から構成される。
【００１５】
治療処置剤２２１は、ナノ・トレースエレメント（ 超微量元素）、超疎水性材料、有機トレースエレメント等が混合されたヒドロゲルからなり、これを基礎層２１上に霧状に分散させて均一に吹き付けて、０.０２〜０.２mmの厚さの薄塗装層を形成する。
自己接着型超微細布粘着シート２０を身体の患部に貼ると、治療処置剤２２１に含まれるナノ・トレースエレメント（ 超微量元素）を介し人体の吸収及び共鳴などの反応作用が促進され、超微細布粘着シート２０が浸透温熱を発生して、長時間にわたって効果的に痛みを和らげ、自然な治療ができるようになる。
【００１６】
更に、薄塗装層２２は基礎層２１の片側面上に治療処置剤２２１を、極薄く、０.０２〜０.２mm程に霧状に分散して均一に吹き付けて形成されているので、図５のように、超微細布粘着シート２０を患部に適用しても、基礎層２１は通気性特性や疎水性特性を適切に保持することができ、これによって、熱や汗を分散することができるようになり、粘着シートを患部に長時間適用し続けた後の、皮膚のふやけとか、アレルギーや、発疹などの皮膚のトラブルを効果的に軽減することができる。
【実施例２】
【００１７】
図６には、本考案の自己接着型超微細布粘着シートの第２実施例が示されている。この超微細布粘着シート３０は、ナノ・トレースエレメント（nano trace elements: 超微量元素）、超疎水性材料（nano hydrophobic materials）、有機トレースエレメント（organic trace elements）等を含む治療処置剤３１２を混入したヒドロニット製不織布３１１製の基礎層３１と、該基礎層３１の片面に０.００２〜０.２mm程に治療処置剤を極薄く吹き付けて形成した薄塗装層３２と、該薄塗装層３２に着脱可能に付けられた剥離紙３３とから構成されている。
自己接着型粘着シート３０を患部に貼ると、治療処置剤３１２に含まれたナノ・トレースエレメント（超微量元素）を介して人体が持つ吸収及び共鳴作用などの反応作用が促進され、粘着シート３０が温熱を発生し、これにより長時間にわたって痛みを効果的に和らげ解除することができるようになる。
【００１８】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００１９】
【図１】皮膚に鎮痛剤適用するための従来の貼付用粘着シートの断面図である
【図２】従来の貼付用粘着シートの使用状態を示す概略図。
【図３】本考案の鎮痛用自己接着型超微細布粘着シートの第１実施例を示す分解斜視図である。
【図４】図３における本考案の鎮痛用自己接着型超微細布粘着シートの断面図である。
【図５】本考案の第１実施例における鎮痛用自己接着型超微細布粘着シートの使用状態を示す概略図である。
【図６】本考案の鎮痛用自己接着型超微細布粘着シートの第２実施例の断面図である。
【符号の説明】
【００２０】
２０    超微細布粘着シート
２１    基礎層
２２    薄塗装膜
２２１  治療処置剤
２３    剥離紙
【図１】
0003111900.tif 000003
【図２】
0003111900.tif 000004
【図３】
0003111900.tif 000005
【図４】
0003111900.tif 000006
【図５】
0003111900.tif 000007
【図６】
0003111900.tif 000008